(57)【要約】      （修正有）【課題】直積式商品収納ラックに搭載したベンド機構の動作，機能を妨げることなく、奥行きアタッチメントを安定支持できる組立構造を提供する。【解決手段】商品収納コラムに商品を上下一列に積み上げ収納し、最下位の商品から順に落下搬出する自動販売機の直積式商品収納ラックで、商品収納コラムの後部側にはその全高域に亙って商品通路の奥行き寸法を収納商品の長さサイズに合わせて規制する奥行きアタッチメント１２を配備し、奥行きアタッチメント１２はその側縁に形成した係止爪１２ａを仕切隔壁７の側壁面に開口した爪係合穴７ａに差し込んで掛け止め支持したものにおいて、奥行きアタッチメント１２の下端部に係止爪１２ｃを追加形成し、係止爪１２ｃに対向してベンド機構８にはそのケース８ａの側壁に爪係合穴８ｊを開口し、爪係合穴８ｊの内側に近接する内部機構の可動部材に前記係止爪１２ｃとの接触干渉を避ける逃げ用切欠部を形成する。【選択図】図１
2010170367.tif 000002
【特許請求の範囲】
【請求項１】
前面，下面を開放した箱形のラックケース内に仕切隔壁を挟んでその左右両側に画成した商品収納コラムに商品を上下一列に積み上げ収納し、前記仕切隔壁に連ねてラックケースの出口側に配置したベンド機構の操作により最下位の商品から順に落下搬出する自動販売機の直積式商品収納ラックであり、前記商品収納コラムの後部側にはその全高域に亙って商品通路の奥行き寸法を収納商品の長さサイズに合わせて規制する奥行きアタッチメントを配備し、かつ該奥行きアタッチメントはその側縁に形成した係止爪を前記仕切隔壁の側壁面に開口した爪係合穴に差し込んで掛け止め支持したものにおいて、
前記奥行きアタッチメントの下端部に係止爪を追加形成した上で、該係止爪に対向してベンド機構にはそのケース側壁に爪係合穴を開口するとともに、該爪係合穴の内側に近接する内部機構の可動部材に前記係止爪との接触干渉を避ける逃げ用切欠部を形成したことを特徴とする自動販売機の直積式商品収納ラック。
【発明の詳細な説明】
【技術分野】
【０００１】
この発明は、紙パック入り飲料商品などを販売する自動販売機の直積式商品収納ラックに関し、詳しくは当該商品収納ラックのラックケース内に配備して商品通路の奥行き寸法を収納商品の長さサイズに合わせて規制する奥行きアタッチメントの組立構造に係わる。
【背景技術】
【０００２】
頭記の直積式商品収納ラックは、箱形のラックケース内に画成した商品収納コラムに商品を上下一列に積み上げ収納し、ベンド機構の操作により最下位の商品から順に落下搬出するようにしたものであり、この直積式商品収納ラックには収納商品の外形サイズに合わせて商品収納コラムの商品通路幅、および奥行き寸法を規制する手段として、通路幅調整用可動側板，および奥行きアタッチメントを備えている（例えば、特許文献１参照）。
【０００３】
次に、直積式商品収納ラックを搭載した自動販売機、および直積式商品収納ラックの従来における組立構造を図３〜図７に示す。まず、図３において、１は自動販売機のキャビネット、２はキャビネット１の外扉、３は断熱内扉、４は外扉の商品取出口（不図示）に通じる断熱内扉の商品搬出口、５はキャビネット１の庫内に収設した引出式の直積式商品収納ラックである。
【０００４】
ここで、直積式商品収納ラック５は、図４に示すラックユニットの複数組を左右に並べて引出式のラック支持フレーに組み付けた構成になり、そのラックユニットは前面および下面を開放した箱形ラックケース６の中央に仕切隔壁７，および該仕切隔壁７に連ねてラックケース６の出口側に配したベンド機構８を配置し、この仕切隔壁７，ベンド機構８を挟んでラックケース６の側壁との間に左右一対の商品収納コラム９を画成しており、各コラム９にはラックケース６の前方からローディングした商品（例えば紙パック入り飲料商品）１０が上下一列に積み上げ収納される。
【０００５】
また、直積式商品収納ラックに搭載するベンド機構８は、図５，図６で示すような構成になる。すなわち、仕切隔壁７と同じ外形サイズである角筒形のケース８ａには左右のコラム９に積み上げ収納した最下位の商品を担持するフラッパ８ｂ、および最下位から二番目に並ぶ商品を販売待機位置に保持する傾動式のストッパ８ｃを制御カムと組合せてベンドモータ８ｅに連繋し、商品販売時にフラッパ８ｂ，ストッパ８ｃを傾動操作して最下位に並ぶ商品１０を落下搬出させる。なお、図６において、８ｄは前記ストッパ８ｃの高さ位置を収納商品のサイズ（高さ）に合わせて上下に移動する調整機構の操作部、８ｆはベンドモータ８ｅの出力軸、８ｇはフラッパ８ｂの上面側に配した商品の売切れ検知フラッパ、８ｈは前記売切れ検知フラッパ８ｇとケース８ａの上部側に配した売切れ検知スイッチ（不図示）との間を連結するリンク、８ｉは前記ストッパ８ｃに連結して調整機構の操作部８ｄに引き出した調節レバーである。
【０００６】
また、図４に戻ってラックケース６の左右側壁の内側には、ベンド機構８に対向して商品収納コラム９の商品通路幅を調整する可動側板１１が平行リンク機構（不図示）と組合せて配備されている。さらに、商品収納コラム９の後部側には商品１０の長さサイズに合わせて商品通路の奥行き寸法を規制する奥行きアタッチメント１２を備えており、その従来における組立構造を図７に示す。
【０００７】
すなわち、奥行きアタッチメント１２は商品収納コラム９（図４参照）の全高範囲をカバーして上下方向に延在する長尺な薄鋼板製で、その側縁には上下複数箇所にフック状の係止爪１２ａを突き出し形成している。一方、前記係止爪１２ａに対向して仕切隔壁７の左右側壁面には、前後に並ぶ複数の爪係合穴７ａ（スリット状の長穴）を開口しておき、収納商品１０（図４参照）の長さ寸法に合わせて選択した爪係合穴７ａに奥行きアタッチメント１２の係止爪１２ａを矢印Ｐで表すように掛け止めして商品通路の奥行き寸法を規制するようにしている。
【０００８】
なお、仕切隔壁７の下部側に配置したベンド機構８には、図６で述べたようにケース８ａの狭い内部空間にリンク８ｈなどの可動部材を含む内部機構が組み込まれていることから、これら内部機構と奥行きアタッチメント１２の係止爪１２ａとの接触干渉を避けるために、図７に示した従来の組立構造では、奥行きアタッチメント１２の下端部にはあえて係止爪を設けず、上下方向の中間２箇所に係止爪１２ａを設けて仕切隔壁７の側壁面に開口した爪係合穴７ａに掛け止めするようにしている。なお、１２ｂは奥行きアタッチメント１２の取付け位置を調整移動する際に手を掛ける指穴である。
【特許文献１】特開２００４−２４６４３２号公報（図３−図５）
【発明の開示】
【発明が解決しようとする課題】
【０００９】
ところで、図７に示した奥行きアタッチメント１２の従来における支持構造は次記のような問題点がある。
すなわち、商品収納ラック５のコラム９に商品１０をローディングする際には、ラックケース６の前面側から商品１０を装填してベンド機構８のフラッパ８ｂの上に順に積み上げる。このローディング作業では、ローディングする商品１０が背後に並ぶ奥行きアタッチメント１２の板面に突き当たるまで力を加えて奥に押し込むことがあり、このために奥行きアタッチメント１２の板面には前方から押込み荷重が加わるようになる。
【００１０】
しかも、図７のように、奥行きアタッチメント１２の下端側にはあえて係止爪１２ａを設けずに浮かした状態で仕切隔壁７に掛け止め支持した組立構造では、商品１０をローディングする際に加わる前記の押込み力により薄鋼板製の奥行きアタッチメント１２が変形してしまい、このままではコラム９に積み上げ収納した商品１０の重なり姿勢が不安定となって商品列が前方（開放端面側）に倒れるおそれがある。
【００１１】
この発明は上記の点に鑑みなされたものであり、その目的はベンド機構の動作，機能を妨げることなく、奥行きアタッチメントの下端部をベンド機構に係止して変形なく安定支持できるように組立構造を改良した自動販売機の直積式商品収納ラックを提供することにある。
【課題を解決するための手段】
【００１２】
上記目的を達成するために、この発明によれば、前面，下面を開放した箱形のラックケース内に仕切隔壁を挟んでその左右両側に画成した商品収納コラムに商品を上下一列に積み上げ収納し、前記仕切隔壁に連ねてラックケースの出口側に配置したベンド機構の操作により最下位の商品から順に落下搬出する自動販売機の直積式商品収納ラックであり、前記商品収納コラムの後部側にはその全高域に亙って商品通路の奥行き寸法を収納商品の長さサイズに合わせて規制する奥行きアタッチメントを配備し、かつ該奥行きアタッチメントはその側縁に形成した係止爪を前記仕切隔壁の側壁面に開口した爪係合穴に差し込んで掛け止め支持したものにおいて、前記奥行きアタッチメントの下端部に係止爪を追加形成した上で、該係止爪に対向してベンド機構にはそのケース側壁に爪係合穴を開口するとともに、該爪係合穴の内側に近接する内部機構の可動部材に前記係止爪との接触干渉を避ける逃げ用切欠部を形成するものとする。
【発明の効果】
【００１３】
上記の奥行きアタッチメント支持構造によれば、ベンド機構の動作，機能を妨げることなく、奥行きアタッチメントの下端部に設けた係止爪をベンド機構のケースに掛け止め支持することができ、これにより商品収納ラックに商品をローディングする際に、多少力を加えて商品を商品収納コラムの奥に押し込み装填した場合でも、奥行きアタッチメントの変形を阻止して商品を安定した重なり姿勢でコラム内に積み上げ収納することができる。
【発明を実施するための最良の形態】
【００１４】
以下、この発明の実施の形態を図１，図２に示す実施例に基づいて説明する。なお、図１は奥行きアタッチメントの組立構造、図２は図１の組立構造に対応するベンド機構の構造を表す図であり、各図において図６，図７に対応する部材には同じ符号を付してその説明は省略する。
すなわち、図示実施例の奥行きアタッチメント１２には、図７に示した上部および中間高さに形成した係止爪１２ａのほかに、アタッチメントの下端部の側縁にも係止爪１２ｃを追加形成している。また、前記係止爪１２ｃに対向してベンド機構８には、次記のような爪係止構造が施されている。すなわち、ベンド機構８のケース８ａに対し、その左右側壁の奥部側には奥行きアタッチメント１２の係止爪１２ｃに高さを合わせて前後に並ぶスリット状の爪係合穴８ｊを開口するとともに、該爪係合穴８ｊの内側に近接して配置されている内部機構の可動部材である商品売り切れ検知用のリンク８ａ（図２（ｂ）参照）には、前記した奥行きアタッチメント１２の係合爪１２ｃとの接触干渉を避けるように縦長な逃げ穴８が切欠き形成されている。そのほかに図示例では、例えば図２（ｂ）における内部機構の支持フレーム８ｍについても、爪係合穴８ｊと重なり合う部分を切欠いて奥行きアタッチメント１２の係止爪１２ｃとの干渉を避けるようにしている。
【００１５】
このように、奥行きアタッチメント１２の下端部に係止爪１２ｃを追加形成した上で、該係止爪１２ｃに対向してベンド機構８には爪係合穴を開口８ｊ、および爪係合穴８ｊの内側に近接する内部機構の可動部材（リンク８ｈ）に逃げ穴８ｋを形成することにより、ベンド機構８の動作，機能を妨げることなく、奥行きアタッチメント１２の下端部に設けた係止爪１２ｃをベンド機構８のケース８ａに掛け止め支持することができる。
【００１６】
これにより、商品収納ラックに商品をローディングする際に、多少力を加えて商品を商品収納コラムの奥に押し込み装填した場合でも、奥行きアタッチメント１２の変形を阻止して商品を安定した重なり姿勢でコラム内に積み上げ収納することができる。
【図面の簡単な説明】
【００１７】
【図１】この発明の実施例による奥行きアタッチメントの組立構造図で、（ａ）は分解斜視図、（ｂ）は（ａ）における矢視Ａ部の拡大図
【図２】図１におけるベンド機構の構造図で、（ａ）は正面図、（ｂ）は内部機構の配置図
【図３】直積式商品収納ラックを搭載した自動販売機全体の構成図
【図４】図３における商品収納ラックのラックユニット構造を表す斜視図
【図５】図４における従来のベンド機構の外形斜視図
【図６】図５に示したベンド機構の内部構造図
【図７】図４のラックユニットに配備した奥行きアタッチメントの従来における組立構造を表す図
【符号の説明】
【００１８】
５    直積式商品収納ラック
６    ラックケース
７    仕切隔壁
７ａ  爪係合穴
８    ベンド機構
８ａ  ケース
８ｊ  爪係合穴
８ｃ  リンク（内部機構の可動部材）
８ｋ  逃げ穴
【図１】
2010170367.tif 000003
【図２】
2010170367.tif 000004
【図３】
2010170367.tif 000005
【図４】
2010170367.tif 000006
【図５】
2010170367.tif 000007
【図６】
2010170367.tif 000008
【図７】
2010170367.tif 000009